(57)【要約】【課題】移動局ＵＥの処理を簡易にし、ｓＴＡＧ内でＲＡ手順を行うセルを決定する。【解決手段】本発明に係る無線基地局ｅＮＢでは、ＲＡ手順実行部１２が、ｓＴＡＧにおいて、「ＤＬ  ｔｉｍｉｎｇ  ｒｅｆｅｒｅｎｃｅ  ｃｅｌｌ」が存在すると判定し、かつ、「ＤＬ  ｔｉｍｉｎｇ  ｒｅｆｅｒｅｎｃｅ  ｃｅｌｌ」がアクティブ化されていると判定した場合には、「ＤＬ  ｔｉｍｉｎｇ  ｒｅｆｅｒｅｎｃｅ  ｃｅｌｌ」においてＲＡ手順を行い、ｓＴＡＧにおいて、「ＤＬ  ｔｉｍｉｎｇ  ｒｅｆｅｒｅｎｃｅ  ｃｅｌｌ」が存在すると判定し、かつ、「ＤＬ  ｔｉｍｉｎｇ  ｒｅｆｅｒｅｎｃｅ  ｃｅｌｌ」がアクティブ化されていないと判定した場合には、「ＤＬ  ｔｉｍｉｎｇ  ｒｅｆｅｒｅｎｃｅ  ｃｅｌｌ」をアクティブ化した後、「ＤＬ  ｔｉｍｉｎｇ  ｒｅｆｅｒｅｎｃｅ  ｃｅｌｌ」においてＲＡ手順を行うように構成されている。【選択図】図５
2013179551.tif 000002
【特許請求の範囲】
【請求項１】
プライマリセル及びセカンダリセルを用いてキャリアアグリゲーションを行うことができるように構成されている移動通信システムで用いられる無線基地局であって、
セカンダリセルのみからなるグループにおいて、タイミング参照セルが存在すると判定し、かつ、該タイミング参照セルがアクティブ化されていると判定した場合には、該タイミング参照セルにおいてランダムアクセス手順を行うように構成されているランダムアクセス手順実行部を具備しており、
前記ランダムアクセス手順実行部は、前記グループにおいて、タイミング参照セルが存在すると判定し、かつ、該タイミング参照セルがアクティブ化されていないと判定した場合には、該タイミング参照セルをアクティブ化した後、該タイミング参照セルにおいてランダムアクセス手順を行うように構成されていることを特徴とする無線基地局。
【請求項２】
前記ランダムアクセス手順実行部は、前記グループにおいて、タイミング参照セルが存在しないと判定し、かつ、アクティブ化されているセカンダリセルが存在すると判定した場合、該アクティブ化されているセカンダリセルのうちの１つをタイミング参照セルとし、該タイミング参照セルにおいてランダムアクセス手順を行うように構成されており、
前記ランダムアクセス手順実行部は、前記グループにおいて、タイミング参照セルが存在しないと判定し、かつ、アクティブ化されているセカンダリセルが存在しないと判定した場合、アクティブ化されていないセカンダリセルのうちの１つをアクティブ化した後、該アクティブ化したセカンダリセルをタイミング参照セルとし、該タイミング参照セルにおいてランダムアクセス手順を行うように構成されていることを特徴とする請求項１に記載の無線基地局。
【請求項３】
前記ランダムアクセス手順実行部は、前記グループにおいて、タイミング参照セルが存在しないと判定し、かつ、アクティブ化されているセカンダリセルが存在すると判定した場合、該アクティブ化されているセカンダリセルのうち、最も小さいインデックスが割り当てられているセカンダリセルを前記タイミング参照セルとし、該タイミング参照セルにおいてランダムアクセス手順を行うように構成されており、
前記ランダムアクセス手順実行部は、前記グループにおいて、タイミング参照セルが存在しないと判定し、かつ、アクティブ化されているセカンダリセルが存在しないと判定した場合、アクティブ化されていないセカンダリセルのうち、最も小さいインデックスが割り当てられているセカンダリセルをアクティブ化した後、アクティブ化した該セカンダリセル前記タイミング参照セルとし、該タイミング参照セルにおいてランダムアクセス手順を行うように構成されていることを特徴とする請求項２に記載の無線基地局。
【請求項４】
前記ランダムアクセス手順実行部は、前記グループにおいて、タイミング参照セルが存在しないと判定し、かつ、アクティブ化されているセカンダリセルが存在すると判定した場合、該アクティブ化されているセカンダリセルのうち、最も無線品質が高いセカンダリセルを前記タイミング参照セルとし、該タイミング参照セルにおいてランダムアクセス手順を行うように構成されており、
前記ランダムアクセス手順実行部は、前記グループにおいて、タイミング参照セルが存在しないと判定し、かつ、アクティブ化されているセカンダリセルが存在しないと判定した場合、アクティブ化されていないセカンダリセルのうち、最も無線品質が高いセカンダリセルをアクティブ化した後、アクティブ化した該セカンダリセル前記タイミング参照セルとし、該タイミング参照セルにおいてランダムアクセス手順を行うように構成されていることを特徴とする請求項２に記載の無線基地局。
【請求項５】
セカンダリセルが設定されていない状態において、セカンダリセルが設定され、設定された該セカンダリセルがアクティブ化された場合に、前記ランダムアクセス手順実行部は、該アクティブ化されたセカンダリセルのうち、最も小さいインデックスが割り当てられているセカンダリセルをタイミング参照セルとし、該タイミング参照セルにおいてランダムアクセス手順を行うように構成されていることを特徴とする請求項１に記載の無線基地局。
【請求項６】
プライマリセル及びセカンダリセルを用いてキャリアアグリゲーションを行うことができるように構成されている移動通信システムで用いられる移動局であって、
無線基地局に対して、上りリンク信号を送信するように構成されている送信部と、
前記無線基地局からの指示に応じて、セカンダリセルのみからなるグループ内のタイミング参照セルにおいてランダムアクセス手順を行うように構成されているランダムアクセス手順実行部と、
前記ランダムアクセス手順実行部が、前記タイミング参照セルにおいてランダムアクセス手順を行っている場合には、前記送信部は、前記グループ内でアクティブ化されている全てのセカンダリセルにおいて上りリンク信号を送信しないように構成されていることを特徴とする移動局。
【発明の詳細な説明】
【技術分野】
【０００１】
本発明は、無線基地局及び移動局に関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式では、ＣＡ（Ｃａｒｒｉｅｒ  Ａｇｇｒｅｇａｔｉｏｎ、キャリアアグリゲーション）において、伝搬遅延の異なる複数のＣＣ（Ｃｏｍｐｏｎｅｎｔ  Ｃａｒｒｉｅｒ、コンポーネントキャリア）が存在する場合、ほぼ同じの伝搬遅延のＣＣからなる複数のグループを形成し、各グループに対して異なる「ＵＬ  ｔｉｍｉｎｇ  ａｌｉｇｎｍｅｎｔ制御」を適用する「Ｍｕｌｔｉｐｌｅ  Ｔｉｍｉｎｇ  Ａｄｖａｎｃｅ」について検討されている。
【０００３】
かかるグループには、Ｐｃｅｌｌ（Ｐｒｉｍａｒｙ  Ｃｅｌｌ、プライマリセル）を含むｐＴＡＧ（ＴＡ  Ｇｒｏｕｐ）及びＳｃｅｌｌのみからなるｓＴＡＧの２種類が存在する。
【０００４】
ここで、ｐＴＡＧ内では、Ｐｃｅｌｌにおいて、ＲＡ（Ｒａｎｄｏｍ  Ａｃｃｅｓｓ、ランダムアクセス）手順が行われ、かかるＲＡ手順の結果に基づいて、ｐＴＡＧ内のＳｃｅｌｌにおける上り送信タイミングが決定されるように規定されている。
【先行技術文献】
【非特許文献】
【０００５】
【非特許文献１】３ＧＰＰ寄書  Ｒ２-１１６５０３
【発明の概要】
【発明が解決しようとする課題】
【０００６】
しかしながら、現在のＬＴＥ-Ａｄｖａｎｃｅｄ方式では、ｓＴＡＧ内で、どのセルにおいてＲＡ手順を行うべきかについて規定されていない。
【０００７】
ここで、ＲＡ手順を行うセル（以下、「ＤＬ  ｔｉｍｉｎｇ  ｒｅｆｅｒｅｎｃｅ  ｃｅｌｌ」）を頻繁に変更すると、移動局ＵＥにおける処理が複雑化するという問題点があった。
【０００８】
そこで、本発明は、上述の課題に鑑みてなされたものであり、移動局ＵＥの処理を簡易にし、ｓＴＡＧ内でＲＡ手順を行うべきセルを決定することができる無線基地局及び移動局を提供することを目的とする。
【課題を解決するための手段】
【０００９】
本発明の第１の特徴は、プライマリセル及びセカンダリセルを用いてキャリアアグリゲーションを行うことができるように構成されている移動通信システムで用いられる無線基地局であって、セカンダリセルのみからなるグループにおいて、タイミング参照セルが存在すると判定し、かつ、該タイミング参照セルがアクティブ化されていると判定した場合には、該タイミング参照セルにおいてランダムアクセス手順を行うように構成されているランダムアクセス手順実行部を具備しており、前記ランダムアクセス手順実行部は、前記グループにおいて、タイミング参照セルが存在すると判定し、かつ、該タイミング参照セルがアクティブ化されていないと判定した場合には、該タイミング参照セルをアクティブ化した後、該タイミング参照セルにおいてランダムアクセス手順を行うように構成されていることを要旨とする。
【００１０】
本発明の第２の特徴は、プライマリセル及びセカンダリセルを用いてキャリアアグリゲーションを行うことができるように構成されている移動通信システムで用いられる移動局であって、無線基地局に対して、上りリンク信号を送信するように構成されている送信部と、前記無線基地局からの指示に応じて、セカンダリセルのみからなるグループ内のタイミング参照セルにおいてランダムアクセス手順を行うように構成されているランダムアクセス手順実行部と、前記ランダムアクセス手順実行部が、前記タイミング参照セルにおいてランダムアクセス手順を行っている場合には、前記送信部は、前記グループ内でアクティブ化されている全てのセカンダリセルにおいて上りリンク信号を送信しないように構成されていることを要旨とする。
【発明の効果】
【００１１】
以上説明したように、本発明によれば、移動局ＵＥの処理を簡易にし、ｓＴＡＧ内でＲＡ手順を行うべきセルを決定することができる無線基地局及び移動局を提供することができる。
【図面の簡単な説明】
【００１２】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局の動作を説明するための図である。
【図４】本発明の第１の実施形態に係る無線基地局の動作を説明するための図である。
【図５】本発明の第１の実施形態に係る無線基地局の動作を示すフローチャートである。
【図６】本発明の第１の実施形態に係る無線基地局の動作を示すフローチャートである。
【図７】本発明の第１の実施形態に係る無線基地局の動作を示すフローチャートである。
【図８】本発明の変更例１に係る移動局の機能ブロック図である。
【発明を実施するための形態】
【００１３】
（本発明の第１の実施形態に係る移動通信システム）
図１及び図７を参照して、本発明の第１の実施形態に係る移動通信システムについて説明する。
【００１４】
本実施形態に係る移動通信システムは、ＬＴＥ-Ａｄｖａｎｃｅｄ方式をサポートするものであって、Ｐｃｅｌｌ及びＳｃｅｌｌを用いてＣＡを行うことができるように構成されている。
【００１５】
図１に示すように、本実施形態に係る移動通信システムは、セル＃１１を管理する無線基地局ｅＮＢ＃１や、セル＃１１Ａを管理する無線基地局ｅＮＢ＃１１Ａや、セル＃１１Ｂを管理する無線基地局ｅＮＢ＃１１Ｂ等を具備している。
【００１６】
例えば、セル＃１１は、広いエリアをサポートするカバレッジバンド、例えば、周波数ｆ１のキャリア（ＰＣＣ：Ｐｒｉｍａｒｙ  Ｃｏｍｐｏｎｅｎｔ  Ｃａｒｒｉｅｒ）によって運用されているセル（例えば、マクロセル）であってもよい。
【００１７】
一方、セル＃１１Ａ/＃１１Ｂは、セル＃１１のカバーエリア内に配置されており、ホットスポットにおいてスループットを改善させるためのキャパシティバンド、例えば、周波数ｆ２/ｆ３のキャリア（ＳＣＣ：Ｓｅｃｏｎｄａｒｙ  Ｃｏｍｐｏｎｅｎｔ  Ｃａｒｒｉｅｒ）によって運用されているセル（例えば、ピコセル）であってもよい。
【００１８】
また、周波数ｆ１のキャリアによって運用されているセル＃１１は、移動局ＵＥに対してＰｃｅｌｌとして設定されており、周波数ｆ２/ｆ３のキャリアによって運用されているセル＃１１Ａ/＃１１Ｂは、移動局ＵＥに対してＳｃｅｌｌとして設定されていてもよい。
【００１９】
図２に示すように、本実施形態に係る無線基地局ｅＮＢ＃１は、管理部１１と、ＲＡ手順実行部１２とを具備している。
【００２０】
管理部１１は、各移動局ＵＥに対して設定されているＰｃｅｌｌ及びＳｃｅｌｌを、グループごとに管理するように構成されている。
【００２１】
ここで、管理部１１は、それぞれの伝搬遅延に基づいて、Ｐｃｅｌｌ及びＳｃｅｌｌに対するグループ化を行うように構成されている。
【００２２】
かかるグループ化は、Ｐｃｅｌｌ及びＳｃｅｌｌにおける伝搬遅延に基づいて行われるものとする。すなわち、同じグループに属するＰｃｅｌｌやＳｃｅｌｌは、同程度の伝搬遅延を有するものとする。なお、かかるグループ化は、伝搬遅延に基づいて、Ｓｔａｔｉｃに設定されているものとする。
【００２３】
例えば、管理部１１は、図３に示すように、移動局ＵＥに対して、Ｐｃｅｌｌ及びＳｅｌｌ＃１０を含むｐＴＡＧと、Ｓｃｅｌｌ＃１〜Ｓｃｅｌｌ＃３を含むｓＴＡＧを管理するように構成されていてもよい。
【００２４】
なお、Ｐｃｅｌｌは、カバレッジバンドによって運用されているセル（例えば、マクロセル）であってもよいし、Ｓｃｅｌｌ＃１〜＃３/＃１０は、キャパシティバンドによって運用されているセル（例えば、ピコセル）であってもよい。
【００２５】
ＲＡ手順実行部１２は、各移動局ＵＥに対して設定されているＰｃｅｌｌ及びＳｃｅｌｌにおいて、ＲＡ手順を行うように構成されている。
【００２６】
ここで、ＲＡ手順実行部１２は、管理部１１によって管理されているｐＴＡＧ内では、常に、Ｐｃｅｌｌにおいて、ＲＡ手順を行うように構成されている。
【００２７】
なお、移動局ＵＥは、Ｐｃｅｌｌにおいて行われたＲＡ手順によって得られた下りタイミング（ＤＬ  ｔｉｍｉｎｇ）に基づいて、Ｐｃｅｌｌにおける送信タイミングを決定すると共に、かかるｐＴＡＧに属する他のＳｃｅｌｌにおける送信タイミングを決定するように構成されている。
【００２８】
また、ＲＡ手順実行部１２は、管理部１１によって管理されているｓＴＡＧ内では、常に、「ＤＬ  ｔｉｍｉｎｇ  ｒｅｆｅｒｅｎｃｅ  ｃｅｌｌ」において、ＲＡ手順を行うように構成されている。
【００２９】
すなわち、ＲＡ手順実行部１２は、「ＤＬ  ｔｉｍｉｎｇ  ｒｅｆｅｒｅｎｃｅ  ｃｅｌｌ」において、移動局ＵＥに対して、ＰＤＣＣＨを用いて、ＲＡ手順を実行するよう指示するように構成されている。かかる場合、ＲＡ手順実行部１２は、移動局ＵＥに対して、個別ＲＡプリアンブルを併せてＰＤＣＣＨで通知するように構成されている。
【００３０】
なお、移動局ＵＥは、「ＤＬ  ｔｉｍｉｎｇ  ｒｅｆｅｒｅｎｃｅ  ｃｅｌｌ」において行われたＲＡ手順によって得られた下りタイミング（ＤＬ  ｔｉｍｉｎｇ）に基づいて、当該Ｓｃｅｌｌにおける上り送信タイミングを決定すると共に、かかるｓＴＡＧに属する他のＳｃｅｌｌにおける上り送信タイミングを決定するように構成されている。
【００３１】
具体的には、ＲＡ手順実行部１２は、ｓＴＡＧにおいて、「ＤＬ  ｔｉｍｉｎｇ  ｒｅｆｅｒｅｎｃｅ  ｃｅｌｌ」が存在すると判定し、かつ、かかる「ＤＬ  ｔｉｍｉｎｇ  ｒｅｆｅｒｅｎｃｅ  ｃｅｌｌ」がアクティブ化されていると判定した場合には、かかる「ＤＬ  ｔｉｍｉｎｇ  ｒｅｆｅｒｅｎｃｅ  ｃｅｌｌ」においてＲＡ手順を行うように構成されていてもよい。
【００３２】
また、ＲＡ手順実行部１２は、ｓＴＡＧにおいて、「ＤＬ  ｔｉｍｉｎｇ  ｒｅｆｅｒｅｎｃｅ  ｃｅｌｌ」が存在すると判定し、かつ、かかる「ＤＬ  ｔｉｍｉｎｇ  ｒｅｆｅｒｅｎｃｅ  ｃｅｌｌ」がアクティブ化されていないと判定した場合には、かかる「ＤＬ  ｔｉｍｉｎｇ  ｒｅｆｅｒｅｎｃｅ  ｃｅｌｌ」をアクティブ化した後、かかる「ＤＬ  ｔｉｍｉｎｇ  ｒｅｆｅｒｅｎｃｅ  ｃｅｌｌ」においてＲＡ手順を行うように構成されていてもよい。
【００３３】
また、ＲＡ手順実行部１２は、ｓＴＡＧにおいて、「ＤＬ  ｔｉｍｉｎｇ  ｒｅｆｅｒｅｎｃｅ  ｃｅｌｌ」が存在しないと判定し（例えば、「ＤＬ  ｔｉｍｉｎｇ  ｒｅｆｅｒｅｎｃｅ  ｃｅｌｌ」が削除されたケースや、ＣＡが開始されてから初めてｔｉｍｉｎｇ  ａｌｉｇｎｍｅｎｔを行う必要があると判断されたケース等）、かつ、アクティブ化されているＳｃｅｌｌが存在すると判定した場合、アクティブ化されているＳｃｅｌｌのうちの１つを「ＤＬ  ｔｉｍｉｎｇ  ｒｅｆｅｒｅｎｃｅ  ｃｅｌｌ」とし、かかる「ＤＬ  ｔｉｍｉｎｇ  ｒｅｆｅｒｅｎｃｅ  ｃｅｌｌ」においてＲＡ手順を行うように構成されていてもよい。
【００３４】
ここで、ｓＴＡＧにおいて、一旦、「ＤＬ  ｔｉｍｉｎｇ  ｒｅｆｅｒｅｎｃｅ  ｃｅｌｌ」が設定されると、かかる「ＤＬ  ｔｉｍｉｎｇ  ｒｅｆｅｒｅｎｃｅ  ｃｅｌｌ」がＲＲＣシグナリング等によって削除されるまで、ｓＴＡＧにおける「ＤＬ  ｔｉｍｉｎｇ  ｒｅｆｅｒｅｎｃｅ  ｃｅｌｌ」は変更されないように構成されている。
【００３５】
また、ＲＡ手順実行部１２は、ｓＴＡＧにおいて、「ＤＬ  ｔｉｍｉｎｇ  ｒｅｆｅｒｅｎｃｅ  ｃｅｌｌ」が存在しないと判定し、かつ、アクティブ化されているＳｃｅｌｌが存在しないと判定した場合、アクティブ化されていないＳｃｅｌｌのうちの１つをアクティブ化した後、アクティブ化した当該Ｓｃｅｌｌを「ＤＬ  ｔｉｍｉｎｇ  ｒｅｆｅｒｅｎｃｅ  ｃｅｌｌ」とし、かかる「ＤＬ  ｔｉｍｉｎｇ  ｒｅｆｅｒｅｎｃｅ  ｃｅｌｌ」においてＲＡ手順を行うように構成されていてもよい。
【００３６】
また、ＲＡ手順実行部１２は、ｓＴＡＧにおいて、「ＤＬ  ｔｉｍｉｎｇ  ｒｅｆｅｒｅｎｃｅ  ｃｅｌｌ」が存在しないと判定し、かつ、アクティブ化されているＳｃｅｌｌが存在すると判定した場合、アクティブ化されているＳｃｅｌｌのうち、最も小さいＳｃｅｌｌｉｎｄｅｘが割り当てられているＳｃｅｌｌを「ＤＬ  ｔｉｍｉｎｇ  ｒｅｆｅｒｅｎｃｅ  ｃｅｌｌ」とし、かかる「ＤＬ  ｔｉｍｉｎｇ  ｒｅｆｅｒｅｎｃｅ  ｃｅｌｌ」においてＲＡ手順を行うように構成されていてもよい。
【００３７】
例えば、図４に示すように、ＲＡ手順実行部１２は、移動局ＵＥ＃１に対して設定されているＳｃｅｌｌ＃１〜＃３からなるｓＴＡＧにおいて、「ＤＬ  ｔｉｍｉｎｇ  ｒｅｆｅｒｅｎｃｅ  ｃｅｌｌ」が存在しないと判定し、かつ、アクティブ化されているＳｃｅｌｌ＃１〜＃３が存在すると判定した場合、アクティブ化されているＳｃｅｌｌ＃１〜＃３のうち、最も小さいＳｃｅｌｌｉｎｄｅｘ（＝１）が割り当てられているＳｃｅｌｌ＃１を「ＤＬ  ｔｉｍｉｎｇ  ｒｅｆｅｒｅｎｃｅ  ｃｅｌｌ」とし、Ｓｃｅｌｌ＃１においてＲＡ手順を行うように構成されていてもよい。
【００３８】
なお、かかる場合、ＲＡ手順実行部１２は、最も小さいＳｃｅｌｌｉｎｄｅｘが割り当てられているＳｃｅｌｌの代わりに、最も大きいＳｃｅｌｌｉｎｄｅｘが割り当てられているＳｃｅｌｌや所定条件を満たすＳｃｅｌｌｉｎｄｅｘが割り当てられているＳｃｅｌｌ等を「ＤＬ  ｔｉｍｉｎｇ  ｒｅｆｅｒｅｎｃｅ  ｃｅｌｌ」とするように構成されていてもよい。
【００３９】
ここで、図４に示すように、各移動局ＵＥ用のｓＴＡＧごとに、最も小さいＳｃｅｌｌｉｎｄｅｘ（＝１）が割り当てられているＳｃｅｌｌ＃１で運用されるキャリアを変更することによって、キャリアごとに、ＲＡ手順の負荷分散を行うことができる。
【００４０】
また、ＲＡ手順実行部１２は、ｓＴＡＧにおいて、「ＤＬ  ｔｉｍｉｎｇ  ｒｅｆｅｒｅｎｃｅ  ｃｅｌｌ」が存在しないと判定し、かつ、アクティブ化されているＳｃｅｌｌが存在しないと判定した場合、アクティブ化されていないＳｃｅｌｌのうち、最も小さいＳｃｅｌｌｉｎｄｅｘが割り当てられているＳｃｅｌｌをアクティブ化し、アクティブ化した当該Ｓｃｅｌｌを「ＤＬ  ｔｉｍｉｎｇ  ｒｅｆｅｒｅｎｃｅ  ｃｅｌｌ」とし、かかる「ＤＬ  ｔｉｍｉｎｇ  ｒｅｆｅｒｅｎｃｅ  ｃｅｌｌ」においてＲＡ手順を行うように構成されていてもよい。
【００４１】
例えば、図４に示すように、ＲＡ手順実行部１２は、移動局ＵＥ＃２に対して設定されているＳｃｅｌｌ＃１〜＃３からなるｓＴＡＧにおいて、「ＤＬ  ｔｉｍｉｎｇ  ｒｅｆｅｒｅｎｃｅ  ｃｅｌｌ」が存在しないと判定し、かつ、アクティブ化されているＳｃｅｌｌが存在しないと判定した場合、アクティブ化されていないＳｃｅｌｌ＃１〜＃３のうち、最も小さいＳｃｅｌｌｉｎｄｅｘ（＝１）が割り当てられているＳｃｅｌｌ＃１をアクティブ化した後、アクティブ化したＳｃｅｌｌ＃１を「ＤＬ  ｔｉｍｉｎｇ  ｒｅｆｅｒｅｎｃｅ  ｃｅｌｌ」とし、Ｓｃｅｌｌ＃１においてＲＡ手順を行うように構成されていてもよい。
【００４２】
なお、かかる場合、ＲＡ手順実行部１２は、最も小さいＳｃｅｌｌｉｎｄｅｘが割り当てられているＳｃｅｌｌの代わりに、最も大きいＳｃｅｌｌｉｎｄｅｘが割り当てられているＳｃｅｌｌや所定条件を満たすＳｃｅｌｌｉｎｄｅｘが割り当てられているＳｃｅｌｌ等をアクティブ化するように構成されていてもよい。
【００４３】
また、ＲＡ手順実行部１２は、ｓＴＡＧにおいて、「ＤＬ  ｔｉｍｉｎｇ  ｒｅｆｅｒｅｎｃｅ  ｃｅｌｌ」が存在しないと判定し、かつ、アクティブ化されているＳｃｅｌｌが存在すると判定した場合、アクティブ化されているＳｃｅｌｌのうち、最も無線品質が高いＳｃｅｌｌを「ＤＬ  ｔｉｍｉｎｇ  ｒｅｆｅｒｅｎｃｅ  ｃｅｌｌ」とするように構成されていてもよい。
【００４４】
また、ＲＡ手順実行部１２は、ｓＴＡＧにおいて、「ＤＬ  ｔｉｍｉｎｇ  ｒｅｆｅｒｅｎｃｅ  ｃｅｌｌ」が存在しないと判定し、かつ、アクティブ化されているＳｃｅｌｌが存在しないと判定した場合、アクティブ化されていないＳｃｅｌｌのうち、最も無線品質が高いＳｃｅｌｌを「ＤＬ  ｔｉｍｉｎｇ  ｒｅｆｅｒｅｎｃｅ  ｃｅｌｌ」とするように構成されていてもよい。
【００４５】
さらに、Ｓｃｅｌｌが設定されていない状態において、Ｓｃｅｌｌが設定され、設定されたＳｃｅｌｌがアクティブ化された場合に、ＲＡ手順実行部１２は、アクティブ化されたＳｃｅｌｌのうち、最も小さいＳｃｅｌｌｉｎｄｅｘが割り当てられているＳｃｅｌｌを「ＤＬ  ｔｉｍｉｎｇ  ｒｅｆｅｒｅｎｃｅ  ｃｅｌｌ」とし、「ＤＬ  ｔｉｍｉｎｇ  ｒｅｆｅｒｅｎｃｅ  ｃｅｌｌ」においてＲＡ手順を行うように構成されていてもよい。
【００４６】
なお、かかる場合、ＲＡ手順実行部１２は、最も小さいＳｃｅｌｌｉｎｄｅｘが割り当てられているＳｃｅｌｌの代わりに、最も大きいＳｃｅｌｌｉｎｄｅｘが割り当てられているＳｃｅｌｌや所定条件を満たすＳｃｅｌｌｉｎｄｅｘが割り当てられているＳｃｅｌｌ等を「ＤＬ  ｔｉｍｉｎｇ  ｒｅｆｅｒｅｎｃｅ  ｃｅｌｌ」とするように構成されていてもよい。
【００４７】
また、ＲＡ手順実行部１２は、ｓＴＡＧにおいて、「ＤＬ  ｔｉｍｉｎｇ  ｒｅｆｅｒｅｎｃｅ  ｃｅｌｌ」が存在しないと判定した場合に、所定基準に基づいて、「ＤＬ  ｔｉｍｉｎｇ  ｒｅｆｅｒｅｎｃｅ  ｃｅｌｌ」を決定するように構成されていてもよい。
【００４８】
以下、図５乃至図７を参照して、本実施形態に係る無線基地局ｅＮＢの動作について説明する。
【００４９】
第１に、図５を参照して、移動局ＵＥに対してＣＡで用いられるＳｃｅｌｌが設定されており、かかるＳｃｅｌｌのみからなるｓＴＡＧにおいて「ＤＬ  ｔｉｍｉｎｇ  ｒｅｆｅｒｅｎｃｅ  ｃｅｌｌ」が設定されているケースにおける無線基地局ｅＮＢの動作について説明する。
【００５０】
図５に示すように、無線基地局ｅＮＢは、ステップＳ１０１において、かかるｓＴＡＧ用の「ｔｉｍｉｎｇ  Ａｌｉｇｎｍｅｎｔ  ｔｉｍｅｒ」が満了したため、ｔｉｍｉｎｇ  ａｌｉｇｎｍｅｎｔを行うために、ＲＡ手順を行うことを決定し、ステップＳ１０２において、かかるｓＴＡＧにおける「ＤＬ  ｔｉｍｉｎｇ  ｒｅｆｅｒｅｎｃｅ  ｃｅｌｌ」がアクティブ化されているか否かについて判定する。
【００５１】
「ＹＥＳ」の場合、本動作は、ステップＳ１０４に進み、「ＮＯ」の場合、本動作は、ステップＳ１０３に進む。
【００５２】
ステップＳ１０３において、無線基地局ｅＮＢは、かかる「ＤＬ  ｔｉｍｉｎｇ  ｒｅｆｅｒｅｎｃｅ  ｃｅｌｌ」をアクティブ化する。
【００５３】
ステップＳ１０４において、無線基地局ｅＮＢは、かかる「ＤＬ  ｔｉｍｉｎｇ  ｒｅｆｅｒｅｎｃｅ  ｃｅｌｌ」においてＲＡ手順を行う。
【００５４】
第２に、図６を参照して、移動局ＵＥに対してＣＡで用いられるＳｃｅｌｌが設定されており、かかるＳｃｅｌｌのみからなるｓＴＡＧにおいて設定されていた「ＤＬ  ｔｉｍｉｎｇ  ｒｅｆｅｒｅｎｃｅ  ｃｅｌｌ」がＲＲＣシグナリングによって削除されるケースにおける無線基地局ｅＮＢの動作について説明する。
【００５５】
図６に示すように、無線基地局ｅＮＢは、ステップＳ２０１において、ＲＲＣシグナリングによってｓＴＡＧにおいて設定されていた「ＤＬ  ｔｉｍｉｎｇ  ｒｅｆｅｒｅｎｃｅ  ｃｅｌｌ」が削除されたことを検出すると、ステップＳ２０２において、かかるｓＴＡＧ内にアクティブ化されているＳｃｅｌｌが存在するか否かについて判定する。
【００５６】
「ＹＥＳ」の場合、本動作は、ステップＳ２０４に進み、「ＮＯ」の場合、本動作は、ステップＳ２０３に進む。
【００５７】
ステップＳ２０３において、無線基地局ｅＮＢは、かかるｓＴＡＧ内で設定されているＳｃｅｌｌが複数存在する場合、そのうちの任意の１つをアクティブ化する。
【００５８】
例えば、無線基地局ｅＮＢは、かかるｓＴＡＧ内で設定されているＳｃｅｌｌのうち、最も小さいＳｃｅｌｌｉｎｄｅｘが割り当てられているＳｃｅｌｌをアクティブ化する。
【００５９】
ステップＳ１０４において、無線基地局ｅＮＢは、かかるｓＴＡＧ内にアクティブ化されているＳｃｅｌｌが複数存在する場合、そのうちの任意の１つを「ＤＬ  ｔｉｍｉｎｇ  ｒｅｆｅｒｅｎｃｅ  ｃｅｌｌ」とし、かかる「ＤＬ  ｔｉｍｉｎｇ  ｒｅｆｅｒｅｎｃｅ  ｃｅｌｌ」においてＲＡ手順を行う。
【００６０】
例えば、無線基地局ｅＮＢは、かかるｓＴＡＧ内で設定されているＳｃｅｌｌのうち、最も小さいＳｃｅｌｌｉｎｄｅｘが割り当てられているＳｃｅｌｌにおいてＲＡ手順を行う。
【００６１】
第３に、図７を参照して、ＣＡが開始されていないケースにおける無線基地局ｅＮＢの動作について説明する。
【００６２】
図７に示すように、ステップＳ３０１において、無線基地局ｅＮＢは、移動局ＵＥから、「Ｅｖｅｎｔ  Ａ３/Ａ４」等の「Ｍｅａｓｕｒｅｍｅｎｔ  Ｒｅｐｏｒｔ」を受信する。
【００６３】
ステップＳ３０２において、無線基地局ｅＮＢは、かかる「Ｍｅａｓｕｒｅｍｅｎｔ  Ｒｅｐｏｒｔ」に基づいて、追加して設定すべきＳｃｅｌｌを決定し、移動局ＵＥに対して、ＲＲＣシグナリングによって、かかるＳｃｅｌｌを追加して設定するように指示する。ここで、追加して設定されたＳｃｅｌｌは、非アクティブ状態である。
【００６４】
無線基地局ｅＮＢは、ステップＳ３０３において、Ｓｃｅｌｌにおいて、下りデータ信号又は上りデータ信号についてのスケジューリングを行うことを決定すると、ステップＳ３０４において、ステップＳ３０２において設定されたＳｃｅｌｌをアクティブ化する。
【００６５】
ステップＳ３０５において、無線基地局ｅＮＢは、ｓＴＡＧにおいて、アクティブ化されているＳｃｅｌｌが複数存在する場合、そのうちの１つを「ＤＬ  ｔｉｍｉｎｇ  ｒｅｆｅｒｅｎｃｅ  ｃｅｌｌ」とし、かかる「ＤＬ  ｔｉｍｉｎｇ  ｒｅｆｅｒｅｎｃｅ  ｃｅｌｌ」においてＲＡ手順を行う。
【００６６】
例えば、無線基地局ｅＮＢは、かかるｓＴＡＧ内で設定されているＳｃｅｌｌのうち、最も小さいＳｃｅｌｌｉｎｄｅｘが割り当てられているＳｃｅｌｌにおいてＲＡ手順を行う。
【００６７】
ステップＳ３０６において、無線基地局ｅＮＢは、ＲＡ手順によってｔｉｍｉｎｇ  ａｌｉｇｎｍｅｎｔを行った後、Ｓｃｅｌｌにおいて、下りデータ信号又は上りデータ信号についてのスケジューリングを行う。
【００６８】
本実施形態に係る発明によれば、無線基地局ｅＮＢが、ｓＴＡＧ内では、常に、「ＤＬ  ｔｉｍｉｎｇ  ｒｅｆｅｒｅｎｃｅ  ｃｅｌｌ」において、ＲＡ手順を行うように構成されているため、ｓＴＡＧにおいて、頻繁にＲＡ手順を行うＳｃｅｌｌを変更することに起因する移動局ＵＥにおける処理の複雑化を回避することができる。
【００６９】
また、本実施形態に係る発明によれば、無線基地局ｅＮＢが、ｓＴＡＧにおいて「ＤＬ  ｔｉｍｉｎｇ  ｒｅｆｅｒｅｎｃｅ  ｃｅｌｌ」が存在しないと判定した場合には、所定基準で「ＤＬ  ｔｉｍｉｎｇ  ｒｅｆｅｒｅｎｃｅ  ｃｅｌｌ」を決定するように構成されているため、シンプルな手順により、ｓＴＡＧ内でＲＡ手順を行うことができる。
【００７０】
（変更例１）
図８を参照して、本発明の変更例１に係る移動通信システム（特に、移動局ＵＥ）について説明する。以下、本発明の変更例１に係る移動通信システムについて、上述の第１の実施形態に係る移動通信システムとの相違点に着目して説明する。
【００７１】
図８に示すように、本発明の変更例１に係る移動局ＵＥは、管理部２１と、受信部２２と、ＲＡ手順実行部２３と、送信部２４とを具備している。
【００７２】
管理部２１は、かかる移動局ＵＥに対して設定されているＰｃｅｌｌ及びＳｃｅｌｌを、グループごとに管理するように構成されている。
【００７３】
例えば、管理部２１は、図３に示すように、移動局ＵＥに対して、Ｐｃｅｌｌ及びＳｅｌｌ＃１０を含むｐＴＡＧと、Ｓｃｅｌｌ＃１〜Ｓｃｅｌｌ＃３を含むｓＴＡＧを管理するように構成されていてもよい。
【００７４】
受信部２２は、無線基地局ｅＮＢによって送信された下りリンク信号を受信するように構成されており、送信部２４は、無線基地局ｅＮＢに対して上りリンク信号を送信するように構成されている。
【００７５】
例えば、受信部２２は、無線基地局ｅＮＢから、ＰＤＣＣＨを介して、ＲＡ手順を行うように指示する情報を受信するように構成されている。かかる場合、受信部２２は、個別ＲＡプリアンブルを取得するように構成されている。
【００７６】
ＲＡ手順実行部２３は、無線基地局ｅＮＢからの指示に応じて、かかる移動局ＵＥに対して設定されているＰｃｅｌｌ及びＳｃｅｌｌにおいて、ＲＡ手順を行うように構成されている。
【００７７】
ここで、ＲＡ手順実行部２３は、管理部２１によって管理されているｐＴＡＧ内では、常に、Ｐｃｅｌｌにおいて、ＲＡ手順を行うように構成されている。
【００７８】
なお、送信部２４は、Ｐｃｅｌｌにおいて行われたＲＡ手順によって得られた下りタイミング（ＤＬ  ｔｉｍｉｎｇ）に基づいて、Ｐｃｅｌｌにおける送信タイミングを決定すると共に、かかるｐＴＡＧに属する他のＳｃｅｌｌにおける送信タイミングを決定するように構成されている。
【００７９】
また、ＲＡ手順実行部２３は、管理部２１によって管理されているｓＴＡＧ内では、常に、「ＤＬ  ｔｉｍｉｎｇ  ｒｅｆｅｒｅｎｃｅ  ｃｅｌｌ」において、ＲＡ手順を行うように構成されている。
【００８０】
なお、送信部２４は、「ＤＬ  ｔｉｍｉｎｇ  ｒｅｆｅｒｅｎｃｅ  ｃｅｌｌ」において行われたＲＡ手順によって得られた下りタイミング（ＤＬ  ｔｉｍｉｎｇ）に基づいて、「ＤＬ  ｔｉｍｉｎｇ  ｒｅｆｅｒｅｎｃｅ  ｃｅｌｌ」における送信タイミングを決定すると共に、かかるｓＴＡＧに属する他のＳｃｅｌｌにおける送信タイミングを決定するように構成されている。
【００８１】
ここで、ＲＡ手順実行部２３が、ｓＴＡＧ内の「ＤＬ  ｔｉｍｉｎｇ  ｒｅｆｅｒｅｎｃｅ  ｃｅｌｌ」においてＲＡ手順を行っている場合には、送信部２４は、かかるｓＴＡＧ内でアクティブ化されている全てのＳｃｅｌｌにおいて上りリンク信号を送信しないように構成されている。
【００８２】
なお、かかる場合であっても、送信部２４は、上述のＲＡ手順が行われているｓＴＡＧ以外のｓＴＡＧ内でアクティブ化されている全てのＳｃｅｌｌにおいて、或いは、ｐＴＡＧ内のＰｃｅｌｌ及びクティブ化されている全てのＳｃｅｌｌにおいて、上りリンク信号を送信することができるように構成されている。
【００８３】
以上に述べた本実施形態の特徴は、以下のように表現されていてもよい。
【００８４】
本実施形態の第１の特徴は、Ｐｃｅｌｌ（プライマリセル）及びＳｃｅｌｌ（セカンダリセル）を用いてＣＡ（キャリアアグリゲーション）を行うことができるように構成されている移動通信システムで用いられる無線基地局ｅＮＢであって、ＳｃｅｌｌのみからなるｓＴＡＧ（グループ）において、「ＤＬ  ｔｉｍｉｎｇ  ｒｅｆｅｒｅｎｃｅ  ｃｅｌｌ（タイミング参照セル）」が存在すると判定し、かつ、かかる「ＤＬ  ｔｉｍｉｎｇ  ｒｅｆｅｒｅｎｃｅ  ｃｅｌｌ」がアクティブ化されていると判定した場合には、かかる「ＤＬ  ｔｉｍｉｎｇ  ｒｅｆｅｒｅｎｃｅ  ｃｅｌｌ」においてＲＡ手順（ランダムアクセス手順）を行うように構成されているＲＡ手順実行部（ランダムアクセス手順実行部）１２を具備しており、ＲＡ手順実行部１２は、ｓＴＡＧにおいて、「ＤＬ  ｔｉｍｉｎｇ  ｒｅｆｅｒｅｎｃｅ  ｃｅｌｌ」が存在すると判定し、かつ、かかる「ＤＬ  ｔｉｍｉｎｇ  ｒｅｆｅｒｅｎｃｅ  ｃｅｌｌ」がアクティブ化されていないと判定した場合には、かかる「ＤＬ  ｔｉｍｉｎｇ  ｒｅｆｅｒｅｎｃｅ  ｃｅｌｌ」をアクティブ化した後、かかる「ＤＬ  ｔｉｍｉｎｇ  ｒｅｆｅｒｅｎｃｅ  ｃｅｌｌ」においてＲＡ手順を行うように構成されていることを要旨とする。
【００８５】
本実施形態の第１の特徴において、ＲＡ手順実行部１２は、ｓＴＡＧにおいて、「ＤＬ  ｔｉｍｉｎｇ  ｒｅｆｅｒｅｎｃｅ  ｃｅｌｌ」が存在しないと判定し、かつ、アクティブ化されているＳｃｅｌｌが存在すると判定した場合、アクティブ化されているＳｃｅｌｌのうちの１つを「ＤＬ  ｔｉｍｉｎｇ  ｒｅｆｅｒｅｎｃｅ  ｃｅｌｌ」とし、かかる「ＤＬ  ｔｉｍｉｎｇ  ｒｅｆｅｒｅｎｃｅ  ｃｅｌｌ」においてＲＡ手順を行うように構成されており、ＲＡ手順実行部１２は、ｓＴＡＧにおいて、「ＤＬ  ｔｉｍｉｎｇ  ｒｅｆｅｒｅｎｃｅ  ｃｅｌｌ」が存在しないと判定し、かつ、アクティブ化されているＳｃｅｌｌが存在しないと判定した場合、アクティブ化されていないＳｃｅｌｌのうちの１つをアクティブ化した後、アクティブ化したＳｃｅｌｌを「ＤＬ  ｔｉｍｉｎｇ  ｒｅｆｅｒｅｎｃｅ  ｃｅｌｌ」とし、かかる「ＤＬ  ｔｉｍｉｎｇ  ｒｅｆｅｒｅｎｃｅ  ｃｅｌｌ」においてＲＡ手順を行うように構成されていてもよい。
【００８６】
本実施形態の第１の特徴において、ＲＡ手順実行部１２は、ｓＴＡＧにおいて、「ＤＬ  ｔｉｍｉｎｇ  ｒｅｆｅｒｅｎｃｅ  ｃｅｌｌ」が存在しないと判定し、かつ、アクティブ化されているＳｃｅｌｌが存在すると判定した場合、アクティブ化されているＳｃｅｌｌのうち、最も小さいＳｃｅｌｌｉｎｄｅｘ（インデックス）が割り当てられているＳｃｅｌｌを「ＤＬ  ｔｉｍｉｎｇ  ｒｅｆｅｒｅｎｃｅ  ｃｅｌｌ」とし、かかる「ＤＬ  ｔｉｍｉｎｇ  ｒｅｆｅｒｅｎｃｅ  ｃｅｌｌ」においてＲＡ手順を行うように構成されていており、ＲＡ手順実行部１２は、ｓＴＡＧにおいて、「ＤＬ  ｔｉｍｉｎｇ  ｒｅｆｅｒｅｎｃｅ  ｃｅｌｌ」が存在しないと判定し、かつ、アクティブ化されているＳｃｅｌｌが存在しないと判定した場合、アクティブ化されていないＳｃｅｌｌのうち、最も小さいＳｃｅｌｌｉｎｄｅｘが割り当てられているＳｃｅｌｌをアクティブ化した後、アクティブ化された当該Ｓｃｅｌｌを「ＤＬ  ｔｉｍｉｎｇ  ｒｅｆｅｒｅｎｃｅ  ｃｅｌｌ」とし、かかる「ＤＬ  ｔｉｍｉｎｇ  ｒｅｆｅｒｅｎｃｅ  ｃｅｌｌ」においてＲＡ手順を行うように構成されていてもよい。
【００８７】
本実施形態の第１の特徴において、ＲＡ手順実行部１２は、ｓＴＡＧにおいて、「ＤＬ  ｔｉｍｉｎｇ  ｒｅｆｅｒｅｎｃｅ  ｃｅｌｌ」が存在しないと判定し、かつ、アクティブ化されているＳｃｅｌｌが存在すると判定した場合、アクティブ化されているＳｃｅｌｌのうち、最も無線品質が高いＳｃｅｌｌを「ＤＬ  ｔｉｍｉｎｇ  ｒｅｆｅｒｅｎｃｅ  ｃｅｌｌ」とし、かかる「ＤＬ  ｔｉｍｉｎｇ  ｒｅｆｅｒｅｎｃｅ  ｃｅｌｌ」においてＲＡ手順を行うように構成されており、ＲＡ手順実行部１２は、ｓＴＡＧにおいて、「ＤＬ  ｔｉｍｉｎｇ  ｒｅｆｅｒｅｎｃｅ  ｃｅｌｌ」が存在しないと判定し、かつ、アクティブ化されているＳｃｅｌｌが存在しないと判定した場合、アクティブ化されていないＳｃｅｌｌのうち、最も無線品質が高いＳｃｅｌｌをアクティブ化した後、アクティブ化された当該Ｓｃｅｌｌを「ＤＬ  ｔｉｍｉｎｇ  ｒｅｆｅｒｅｎｃｅ  ｃｅｌｌ」とし、かかる「ＤＬ  ｔｉｍｉｎｇ  ｒｅｆｅｒｅｎｃｅ  ｃｅｌｌ」においてＲＡ手順を行うように構成されていてもよい。
【００８８】
本実施形態の第１の特徴において、Ｓｃｅｌｌが設定されていない状態において、Ｓｃｅｌｌが設定され、設定されたＳｃｅｌｌがアクティブ化された場合に、ＲＡ手順実行部１２は、アクティブ化されたＳｃｅｌｌのうち、最も小さいＳｃｅｌｌｉｎｄｅｘが割り当てられているＳｃｅｌｌを「ＤＬ  ｔｉｍｉｎｇ  ｒｅｆｅｒｅｎｃｅ  ｃｅｌｌ」とし、「ＤＬ  ｔｉｍｉｎｇ  ｒｅｆｅｒｅｎｃｅ  ｃｅｌｌ」においてＲＡ手順を行うように構成されていてもよい。
【００８９】
本実施形態の第２の特徴は、Ｐｃｅｌｌ及びＳｃｅｌｌを用いてＣＡを行うことができるように構成されている移動通信システムで用いられる移動局ＵＥであって、無線基地局ｅＮＢに対して、上りリンク信号を送信するように構成されている送信部２４と、無線基地局ｅＮＢからの指示に応じて、ＳｃｅｌｌのみからなるｓＴＡＧ内の「ＤＬ  ｔｉｍｉｎｇ  ｒｅｆｅｒｅｎｃｅ  ｃｅｌｌ」においてＲＡ手順を行うように構成されているＲＡ手順実行部２３と、ＲＡ手順実行部２３が、「ＤＬ  ｔｉｍｉｎｇ  ｒｅｆｅｒｅｎｃｅ  ｃｅｌｌ」においてＲＡ手順を行っている場合には、送信部２４は、ｓＴＡＧ内でアクティブ化されている全てのＳｃｅｌｌにおいて上りリンク信号を送信しないように構成されていることを要旨とする。
【００９０】
なお、上述の無線基地局ｅＮＢ及び移動局ＵＥの動作は、ハードウェアによって実施されてもよいし、プロセッサによって実行されるソフトウェアモジュールによって実施されてもよいし、両者の組み合わせによって実施されてもよい。
【００９１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ及び移動局ＵＥ内に設けられていてもよい。また、かかる記憶媒体及びプロセッサは、ディスクリートコンポーネントとして無線基地局ｅＮＢ及び移動局ＵＥ内に設けられていてもよい。
【００９３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９４】
ｅＮＢ…無線基地局
１１、２１…管理部
１２、２３…ＲＡ手順実行部
２２…受信部
２４…送信部
【図１】
2013179551.tif 000003
【図２】
2013179551.tif 000004
【図３】
2013179551.tif 000005
【図４】
2013179551.tif 000006
【図５】
2013179551.tif 000007
【図６】
2013179551.tif 000008
【図７】
2013179551.tif 000009
【図８】
2013179551.tif 000010